(57)【要約】【課題】スクリーンの引き出し時にスクリーンの一部に不要な応力が印加されることのないロール式スクリーン装置を提供する。【解決手段】ロール式スクリーン装置は、スクリーンと、内部に巻き取りバネが設けられ、スクリーンが巻き付けられているローラと、ローラを回転可能に支持する筐体と、ローラの一方の端部に巻き付けられ、ローラを回転させてスクリーンを引き出すための引き出しコードとを備えている。【選択図】図１
0003217768.tif 000002
【実用新案登録請求の範囲】
【請求項１】
スクリーンと、内部に巻き取りバネが設けられ、前記スクリーンが巻き付けられているローラと、該ローラを回転可能に支持する筐体と、前記ローラの一方の端部に巻き付けられ、該ローラを回転させて前記スクリーンを引き出すための引き出しコードとを備えていることを特徴とするロール式スクリーン装置。
【請求項２】
前記引き出しコードが前記ローラの周面に直接的に巻き付けられていることを特徴とする請求項１に記載のロール式スクリーン装置。
【請求項３】
前記ローラの前記一方の端部に同軸に固着されたスプールをさらに備えており、前記引き出しコードが前記スプールに巻き付けられていることを特徴とする請求項１に記載のロール式スクリーン装置。
【請求項４】
前記スプールの巻き付け部の径が、前記ローラの径より大きいことを特徴とする請求項３に記載のロール式スクリーン装置。
【請求項５】
前記スクリーンが、投射された映像を表示するスクリーン面を有していることを特徴とする請求項１から４のいずれか１項に記載のロール式スクリーン装置。
【考案の詳細な説明】
【技術分野】
【０００１】
本考案は、例えば映写用のスクリーンの巻き取りをバネ駆動によって行うロール式スクリーン装置に関する。
【背景技術】
【０００２】
ロール式スクリーン装置は、例えば、特許文献１及び２に示すように、スクリーンと、内部に巻き上げバネ及びそのロック機構が設けられ、スクリーンが巻き付けられているローラと、ローラを回転可能に支持するホルダと、スクリーンの下端の中央部に取り付けられ、スクリーンを引き出すための取手又はプルコードとを備えている。スクリーンの引き出し動作は取手又はプルコードを下方に引き下げ、ローラを巻上げバネに抗して回転させることにより行い、スクリーンの巻き上げ動作は取手又はプルコードを下方に若干引き下げてロック機構の作動を解除し、その後は巻き取りバネによってローラを逆回転させることにより行うように構成されている。
【先行技術文献】
【特許文献】
【０００３】
【特許文献１】実開昭５０−１１６４４０号公報
【特許文献２】実用新案登録第３１８４８１５号公報
【考案の概要】
【考案が解決しようとする課題】
【０００４】
しかしながら、特許文献１及び２に記載されているごとき従来のロール式スクリーン装置によると、スクリーンの引き出しがこのスクリーンの下端中央部に取り付けられた取手又はプルコードを引き下げて行われるため、スクリーンの一部（中央部）に不要な応力がかかってその部分にしわが発生するという問題点があった。
【０００５】
本考案はこのような従来技術の問題点を解消するためのものであり、その目的は、スクリーンの引き出し時にスクリーンの一部に不要な応力が印加されることのないロール式スクリーン装置を提供することにある。
【課題を解決するための手段】
【０００６】
本考案によれば、ロール式スクリーン装置は、スクリーンと、内部に巻き取りバネが設けられ、スクリーンが巻き付けられているローラと、ローラを回転可能に支持する筐体と、ローラの一方の端部に巻き付けられ、このローラを回転させてスクリーンを引き出すための引き出しコードとを備えている。
【０００７】
ローラの一方の端部に巻き付けられた引き出しコードの操作により、ローラを回転させてスクリーンを引き出すように構成されているため、スクリーン引き出し時にスクリーンの一部に不要な応力が印加されることがなく、スクリーンの一部にしわの発生することを抑止できる。
【０００８】
引き出しコードがローラの周面に直接的に巻き付けられていることが好ましい。
【０００９】
ローラの一方の端部に同軸に固着されたスプールをさらに備えており、引き出しコードがこのスプールに巻き付けられていることも好ましい。
【００１０】
この場合のスプールの巻き付け部の径が、ローラの径より大きいことがより好ましい。
【００１１】
スクリーンが、投射された映像を表示するスクリーン面を有していることも好ましい。
【考案の効果】
【００１２】
引き出しコードの操作により、ローラを回転させてスクリーンを引き出すように構成されているため、スクリーン引き出し時にスクリーンの一部に不要な応力が印加されることがなく、スクリーンの一部にしわの発生することを抑止できる。
【図面の簡単な説明】
【００１３】
【図１】本考案のロール式スクリーン装置の一実施形態における一部構成を概略的に示す斜視図である。
【図２】図１の実施形態のロール式スクリーン装置の構成を示す、（Ａ）正面図、（Ｂ）側面図である。
【図３】図１の実施形態のロール式スクリーン装置のローラ及び筐体部分の構成を示す、図２（Ａ）のＡ−Ａ線断面図である。
【図４】本考案のロール式スクリーン装置の他の実施形態における一部構成を概略的に示す斜視図である。
【考案を実施するための形態】
【００１４】
図１は本考案のロール式スクリーン装置の一実施形態における筐体を除く一部構成を概略的に示しており、図２は本実施形態のロール式スクリーン装置の構成を正面及び側面から示しており、図３は本実施形態のロール式スクリーン装置のローラ及び筐体部分の構成をＡ−Ａ線断面で示している。
【００１５】
これらの図に示すように、本実施形態のロール式スクリーン装置は、映写用のスクリーン１０と、巻き取り方向に付勢するための図示しない巻き取りバネが内部に設けられ、非展開時のスクリーン１０が巻き付けられているローラ１１と、このローラ１１を回転可能に支持する筐体１４（図２及び図３）と、ローラ１１の一方の端部の周面に巻き付けられ、このローラ１１を回転させてスクリーン１０を引き出すための引き出しコード１３とを備えている。
【００１６】
スクリーン１０は、可撓性を有する素材で形成されたシート材であり、本実施形態では、その中央部のスクリーン面１０ａには映写に適した表面処理がなされており、その周辺部１０ｂは照射光を吸収する黒色のマスク処理が施されている。スクリーン１０の下端には、スクリーン１０が引き出された際にそのしわ発生をある程度抑えると共に安定させるために金属材料（例えばアルミニウム材料）によって形成されたボトムバー１２が取り付けられている。
【００１７】
ローラ１１は、周知の構造の巻き取りバネとそのロック機構とが内部に設けられた樹脂材料又は金属材料によって形成された円筒状部材であり、非展開時のスクリーン１０がその周囲に巻き付けられている。このローラ１１は筐体１４によってその内部に回転可能に支持されている。
【００１８】
筐体１４は、アルミニウム材料による板部材を筒状に成形して構成されており、取り付け金具を介してビス等で天井又は壁面に取り付けられる。筐体１４の外側にスクリーンボックス１５を設けても良い。
【００１９】
ローラ１１の一方の端部（図１及び図２（Ａ）においては右側端部）の周面には、引き出しコード１３が直接的に巻き付けられており、スクリーン１０がローラ１１に巻き付けられている場合には、この引き出しコード１３を下方に引っ張ることによりローラ１１を回転させてスクリーン１０を引き出すことができる。
【００２０】
次に、本実施形態のロール式スクリーン装置の動作について説明する。
【００２１】
スクリーン１０を引き出すには、引き出しコード１３を下方に引っ張る。これにより内部の巻き取りバネの付勢力に抗してローラ１１が回転し、スクリーン１０が下方に引き出される。引き出しコード１３の引っ張りを停止することによって、巻き取りバネの付勢力によりロック機構が動作しローラ１１の回転がロックされ、その位置でスクリーン１０の引き出しが停止する。このように本実施形態のロール式スクリーン装置は、スクリーン１０の引き出し時に、その下端に設けた取手を引っ張るのではなく、ローラ１１の一方の端部の周面に巻き付けられた引き出しコード１３を下方に引っ張ることによりローラ１１を回転させてスクリーン１０を引き出しているため、引き出し時にスクリーン１０の一部に不要な応力が印加されることがなく、スクリーン１０の一部にしわの発生することを確実に抑止できる。
【００２２】
スクリーン１０を巻き上げるには、引き出しコード１３を若干下方に引っ張ることによってロック機構を解除する。これにより、巻き取りバネの付勢力によってローラ１１が回転し、スクリーン１０が上方に巻き上げられる。
【００２３】
以上説明したように、本実施形態によれば、ローラ１１の一方の端部に巻き付けられた引き出しコード１３の操作により、ローラ１１を回転させてスクリーン１０を引き出すように構成されているため、スクリーン１０の引き出し時にスクリーン１０の一部に不要な応力が印加されることがなく、その結果、スクリーン１０の一部にしわの発生することを抑止できる。
【００２４】
図４は本考案のロール式スクリーン装置の他の実施形態における筐体を除く一部構成を概略的に示している。
【００２５】
本実施形態のロール式スクリーン装置では、ローラ１１の一方の端部にスプール１６がこのローラ１１と同軸に固着されており、ローラ１１を回転させてスクリーン１０を引き出すための引き出しコード１３がこのスプール１６の巻き付け部１６ａに巻き付けられている。スプール１６の巻き付け部１６ａの径は、ローラ１１の径より大きく設定されている。
【００２６】
本実施形態におけるその他の構成及び動作は、図１〜図３の実施形態の構成及び動作と同様であるため、説明を省略する。本実施形態における作用効果は、図１〜図３の実施形態の作用効果に加えて、引き出しコード１３がスプール１６の巻き付け部１６ａに巻き付けられるため、引き出しコード１３の巻き付けが容易になると共に確実となる。また、スプール１６の巻き付け部１６ａの径がローラ１１の径より大きいため、引き出しコード１３の引っ張りに要する力をその分軽くできるという効果も得られる。
【００２７】
上述した実施形態では、スクリーン１０が映写用のスクリーンであるとして説明したが、本考案のスクリーンは、映写用のスクリーンに限定されるものではなく、例えば、資料展示用や黒板用等、その他の種々の用途用のスクリーンとして適用可能である。
【００２８】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００２９】
１０  スクリーン
１０ａ  スクリーン面
１０ｂ  周辺部
１１  ローラ
１２  ボトムバー
１３  引き出しコード
１４  筐体
１５  スクリーンボックス
１６  スプール
１６ａ  巻き付け部
【図１】
0003217768.tif 000003
【図２】
0003217768.tif 000004
【図３】
0003217768.tif 000005
【図４】
0003217768.tif 000006